(57)【要約】【課題】利便性を向上する。【解決手段】演奏支援装置は、楽曲音を示す楽曲音データのテンポを解析するテンポ解析部と、テンポ解析部が解析したテンポに基づいて、クリック音を生成するクリック生成部と、楽曲音データに基づく楽曲音に、クリック生成部が生成したクリック音を付加する放音処理部とを備える。【選択図】図１
2018180480.tif 000002
【特許請求の範囲】
【請求項１】
楽曲音を示す楽曲音データのテンポを解析するテンポ解析部と、
前記テンポ解析部が解析した前記テンポに基づいて、クリック音を生成するクリック生成部と、
前記楽曲音データに基づく前記楽曲音に、前記クリック生成部が生成した前記クリック音を付加する放音処理部と
を備える演奏支援装置。
【請求項２】
前記楽曲音のテンポの変更に応じて、前記クリック生成部が生成した前記クリック音の時間間隔を変更する変更処理部と、
前記放音処理部によって放音させる前記楽曲音のテンポを示すテンポ情報を表示部に表示させる表示処理部と
を備える請求項１に記載の演奏支援装置。
【請求項３】
前記変更処理部は、前記クリック音の変更要求に応じて、表拍と裏拍とのいずれかを選択する拍設定情報を変更し、
前記クリック生成部は、前記拍設定情報に基づいて、表拍と裏拍とのいずれかに対応する前記クリック音を生成する
請求項２に記載の演奏支援装置。
【請求項４】
前記テンポ解析部は、前記楽曲音データのうち、入力部によって指定された解析範囲の楽曲音データに対して、前記テンポを解析する
請求項１から請求項３のいずれか一項に記載の演奏支援装置。
【請求項５】
放音部が放音する前記楽曲音に合わせて、演奏された演奏音を示す演奏音データを取得し、取得した前記演奏音データを記憶部に記憶させる録音処理部と、
前記録音処理部が前記記憶部に記憶させた前記演奏音データと、前記楽曲音データとに基づいて、コンテンツデータを生成するコンテンツ生成部と
を備える請求項１から請求項４のいずれか一項に記載の演奏支援装置。
【請求項６】
前記コンテンツ生成部は、
前記演奏音データと前記楽曲音データとの音量バランスを変更して混合する機能と、前記コンテンツデータを生成するための前記演奏音データ及び前記楽曲音データの範囲を変更する機能とを有する
請求項５に記載の演奏支援装置。
【請求項７】
前記コンテンツ生成部が生成した前記コンテンツデータを、ネットワークを介して接続可能なサーバ装置に送信して記憶させる投稿処理部を備える
請求項５又は請求項６に記載の演奏支援装置。
【請求項８】
コンピュータに、
楽曲音を示す楽曲音データのテンポを解析するテンポ解析ステップと、
前記テンポ解析ステップによって解析された前記テンポに基づいて、クリック音を生成するクリック生成ステップと、
前記楽曲音データに基づく前記楽曲音に、前記クリック生成ステップによって生成された前記クリック音を付加する放音処理ステップと
を実行させるためのプログラム。
【発明の詳細な説明】
【技術分野】
【０００１】
本発明は、演奏支援装置、及びプログラムに関する。
【背景技術】
【０００２】
近年、電子ドラムなどの楽器の演奏を録音及び録画して、演奏のコンテンツを作成し、動画共有サービスなどのサーバ装置に投稿（アップロード）することが行われている。また、このような演奏の録音、録画、コンテンツ作成、及び投稿（アップロード）を支援する技術が知られている（例えば、非特許文献１を参照）。
【先行技術文献】
【非特許文献】
【０００３】
【非特許文献１】“IK Multimedia iRig Recorder”、［online］、［平成２９年４月９日検索］、インターネット<URL:http://www.ikmultimedia.com/products/irigrecorder/>
【発明の概要】
【発明が解決しようとする課題】
【０００４】
しかしながら、上述した従来技術では、ある程度上達した演奏に対して録音、録画、コンテンツ作成、及び投稿することが一般的であるが、演奏を上達させる練習に対する支援を行うものではなく、演奏の練習を行う上では不便な場合があった。
【０００５】
本発明は、上記問題を解決すべくなされたもので、その目的は、利便性を向上させることができる演奏支援装置、及びプログラムを提供することにある。
【課題を解決するための手段】
【０００６】
上記問題を解決するために、本発明の一態様は、楽曲音を示す楽曲音データのテンポを解析するテンポ解析部と、前記テンポ解析部が解析した前記テンポに基づいて、クリック音を生成するクリック生成部と、前記楽曲音データに基づく前記楽曲音に、前記クリック生成部が生成した前記クリック音を付加する放音処理部とを備える演奏支援装置である。
【０００７】
また、本発明の一態様は、コンピュータに、楽曲音を示す楽曲音データのテンポを解析するテンポ解析ステップと、前記テンポ解析ステップによって解析された前記テンポに基づいて、クリック音を生成するクリック生成ステップと、前記楽曲音データに基づく前記楽曲音に、前記クリック生成ステップによって生成された前記クリック音を付加する放音処理ステップとを実行させるためのプログラムである。
【発明の効果】
【０００８】
本発明によれば、利便性を向上させることができる。
【図面の簡単な説明】
【０００９】
【図１】本実施形態による演奏支援装置の一例を示す機能ブロック図である。
【図２】本実施形態による演奏支援装置の動作の一例を示すフローチャートである。
【図３】本実施形態による演奏支援装置のトレーニング操作画面の一例を示す図である。
【図４】本実施形態による演奏支援装置のテンポ解析処理画面の一例を示す図である。
【図５】本実施形態による演奏支援装置のレコーディング処理画面の一例を示す第１の図である。
【図６】本実施形態による演奏支援装置のレコーディング処理画面の一例を示す第２の図である。
【図７】本実施形態による演奏支援装置のレコーディング処理画面の一例を示す第３の図である。
【図８】本実施形態による演奏支援装置の編集・投稿処理画面の一例を示す第１の図である。
【図９】本実施形態による演奏支援装置の編集処理画面の一例を示す図である。
【図１０】本実施形態による設定変更処理画面の一例を示す図である。
【発明を実施するための形態】
【００１０】
以下、本発明の一実施形態による演奏支援装置、及びプログラムについて図面を参照して説明する。
【００１１】
図１は、本実施形態による演奏支援装置１の一例を示す機能ブロック図である。
図１に示すように、演奏支援装置１は、入力部１１と、表示部１２と、撮像部１３と、スピーカ１４と、Ａｕｄｉｏ（オーディオ）通信部１５と、ＮＷ（ネットワーク）通信部１６と、記憶部２０と、制御部３０とを備える。
【００１２】
演奏支援装置１は、例えば、スマートフォンやＰＣ（パーソナルコンピュータ）などの情報処理装置であり、電子楽器２と接続可能であるととともに、ネットワークＮＷ１に接続可能である。また、演奏支援装置１は、アプリケーションプログラムを実行させることで実現されてもよいし、専用ハードウェアにより実現されてもよい。
演奏支援装置１は、電子楽器２による楽曲の演奏の練習（トレーニング）から演奏のレコーディング（演奏音及び演奏画像の記録）、演奏のコンテンツデータの作成及び編集、コンテンツデータの投稿までの楽器演奏プロセスのトータル支援を実行する。
【００１３】
電子楽器２は、例えば、電子ドラムなどの楽器であり、演奏支援装置１と接続される。電子楽器２は、利用者が演奏した演奏音を演奏データに変換し、当該演奏データを演奏支援装置１に送信する。
【００１４】
入力部１１は、例えば、タッチパネル、キーボードなどの入力装置であり、演奏支援装置１に対する各種情報の入力を受け付ける。
表示部１２は、例えば、液晶ディスプレイであり、演奏支援装置１の各種処理を実行する際のメニュー画面、操作画面、設定画面などを表示する。
【００１５】
撮像部１３は、例えば、ＣＣＤ（シーシーディー）カメラであり、各種画像を撮像する。撮像部１３は、後述するレコーディング処理において、利用者の演奏画像を撮像する。
スピーカ１４（放音部の一例）は、各種音を放音（出力）する。スピーカ１４は、例えば、楽曲音、後述するクリック音、レコーディング処理により録音した演奏音などを出力する。
【００１６】
Ａｕｄｉｏ通信部１５は、例えば、ＵＳＢ（Universal Serial Bus）  Ａｕｄｉｏ  Ｃｌａｓｓの規格によるインターフェース部であり、電子楽器２との間の通信を行う。演奏支援装置１は、Ａｕｄｉｏ通信部１５を介して、電子楽器２から演奏データを取得する。
ＮＷ通信部１６は、例えば、有線ＬＡＮ（Local Area Network）通信、無線ＬＡＮ通信、移動体通信などを利用して、ネットワークＮＷ１に接続し、ネットワークＮＷ１を介して、サーバ装置３と通信を行う。
ここで、サーバ装置３は、ネットワークＮＷ１を介して、演奏支援装置１が接続可能であり、例えば、ＹｏｕＴｕｂｅ（登録商標）などの動画共有サービスを提供するサーバ装置である。
【００１７】
記憶部２０は、演奏支援装置１の各種処理に利用する情報を記憶する。記憶部２０は、例えば、再生する楽曲音データ、録音した演奏データ、画像データなどを記憶する。また、記憶部２０は、電子楽器２の演奏を練習（トレーニング）するための各種設定情報を記憶する。
【００１８】
制御部３０は、例えば、ＣＰＵ（Central Processing Unit）などを含むプロセッサであり、演奏支援装置１を統括的に制御する。制御部３０は、電子楽器２による楽曲の演奏の練習（トレーニング）から演奏のレコーディング（演奏音及び演奏画像の記録）、演奏のコンテンツデータの作成及び編集、コンテンツデータの投稿までの各種支援を実行する。
制御部３０は、楽曲選択処理部３１と、テンポ解析部３２と、クリック生成部３３と、表示処理部３４と、音出力処理部３５と、設定変更処理部３６と、レコーディング処理部３７と、編集処理部３８と、投稿処理部３９とを備える。
【００１９】
楽曲選択処理部３１は、電子楽器２の演奏の練習、又はレコーディングに使用する楽曲音データを選択する処理を実行する。ここで、楽曲音データとは、楽曲音を示すデータであり、楽曲音を再生（放音）するために用いられる。楽曲選択処理部３１は、利用者によって入力部１１を介して受け付けた情報により、例えば、記憶部２０に記憶されている複数の楽曲音データのうちから楽曲音データを選択する。
【００２０】
テンポ解析部３２は、楽曲選択処理部３１によって選択された楽曲音データのテンポ（１拍の長さ）を解析する。テンポ解析部３２は、例えば、「Chord Tracker」（インターネット<URL:http://usa.yamaha.com/products/apps/chord_tracker/>）で利用されている技術を利用して、選択された楽曲音データのテンポを解析する。テンポ解析部３２は、テンポの解析結果を、例えば、記憶部２０に記憶させる。なお、テンポ解析部３２が解析したテンポの解析結果には、例えば、楽曲の速度情報やリズム情報などが含まれる。
【００２１】
また、本実施形態では、テンポの解析精度を高めるために、楽曲音データの解析範囲の設定、解析の倍率（例えば、１／２倍、２倍など）の設定が可能である。テンポ解析部３２は、例えば、楽曲音データのうち、入力部１１によって指定された解析範囲の楽曲音データに対して、テンポを解析する。また、テンポ解析部３２は、例えば、指定された倍率に応じて、楽曲音データのテンポを解析する。
【００２２】
クリック生成部３３は、テンポ解析部３２が解析したテンポに基づいて、所定のリズムを刻むクリック音（メトロノーム音）を生成する。すなわち、クリック生成部３３は、テンポ解析部３２によるテンポの解析結果に基づいて、楽曲選択処理部３１によって選択された楽曲音に対するクリック音を生成する。ここで、所定のリズムを刻むクリック音とは、例えば、所定のリズムをとるクリック音、又は所定のリズムに合うクリック音のことである。なお、クリック音は、後述する拍設定情報によって、表拍と裏拍とのいずれかを選択（設定）可能であり、クリック生成部３３は、拍設定情報に基づいて、表拍と裏拍とのいずれかに対応するクリック音を生成する。
【００２３】
表示処理部３４は、各種処理を実行する際のメニュー画面、操作画面、設定画面などを表示部１２に表示させる。表示処理部３４は、例えば、演奏の練習（トレーニング）を行うメニュー画面及び操作画面を表示部１２に表示させる際に、楽曲音のテンポを示すテンポ情報（ＢＰＭ値：Beats Per Minute値）、楽曲音の波形データ、クリック音に関する設定情報などを表示させる。
【００２４】
音出力処理部３５（放音処理部の一例）は、楽曲音データに基づく楽曲音に、クリック生成部３３が生成したクリック音を付加してスピーカ１４から放音させる。また、音出力処理部３５は、例えば、演奏の練習（トレーニング）の際に、テンポが変更された楽曲音及びクリック音や、楽曲音データの所定の範囲を繰り返し再生した楽曲音などをスピーカ１４から放音させる。また、音出力処理部３５は、設定された各種設定情報に応じて、楽曲音データに基づく楽曲音をスピーカ１４（放音部）から放音させる。また、音出力処理部３５は、例えば、レコーディング及び編集処理の際に、楽曲音データ及び電子楽器２から取得した演奏データを混合（ミキシング）して、スピーカ１４から放音させる。
【００２５】
設定変更処理部３６は、テンポの解析のための設定情報、電子楽器２の演奏を練習（トレーニング）するため設定情報、レコーディング及び編集処理のための設定情報などの設定を、入力部１１から受け付けた情報に基づいて変更する。すなわち、設定変更処理部３６は、記憶部２０が記憶する各種設定情報を、入力部１１から受け付けた情報（指定された情報）に基づいて変更する。
【００２６】
設定変更処理部３６は、例えば、入力部１１によって受け付けられたテンポの変更要求に応じて、音出力処理部３５によって放音させる楽曲音のテンポを変更するとともに、楽曲音のテンポの変更に応じて、クリック生成部３３が生成したクリック音の発生時間間隔を変更する。また、設定変更処理部３６は、例えば、入力部１１によって受け付けられたクリック音の変更要求に応じて、表拍と裏拍とのいずれかを選択する拍設定情報を変更する。
【００２７】
レコーディング処理部３７（録音処理部の一例）は、スピーカ１４が放音する楽曲音に合わせて、電子楽器２を用いて演奏された演奏音を示す演奏音データを取得し、取得した演奏音データを記憶部２０に記憶させる。また、レコーディング処理部３７は、例えば、撮像部１３が、電子楽器２が演奏されている画像を撮像し、撮像部１３から取得した画像データ（演奏画像データ）を演奏音データとともに、記憶部２０に記憶させる。
【００２８】
編集処理部３８（コンテンツ生成部の一例）は、レコーディング処理部３７によって録音された演奏音データと、楽曲を再生した楽曲音データとを編集して、投稿用のコンテンツデータを生成する。すなわち、編集処理部３８は、レコーディング処理部３７が記憶部２０に記憶させた演奏音データと、楽曲音データとに基づいて、コンテンツデータを生成し、生成したコンテンツデータを記憶部２０に記憶させる。
【００２９】
なお、コンテンツデータには、画像データが含まれていてもよく、編集処理部３８は、撮像部１３から取得した画像データ（演奏画像データ）、又は、別途、記憶部２０に記憶されている画像データを取得して、当該画像データを含むコンテンツデータを生成する。
また、編集処理部３８は、演奏音データと楽曲音データとの音量バランスを変更して混合する機能と、コンテンツデータを生成するための演奏音データ及び楽曲音データの範囲（編集範囲）を変更する機能とを有する。すなわち、編集処理部３８は、例えば、入力部１１によって受け付けた編集範囲、及び演奏音データと楽曲音データとの音量バランス情報に応じて、コンテンツデータを生成する。
【００３０】
投稿処理部３９は、動画共有サービスなどを提供するサーバ装置３に、コンテンツデータを投稿する処理を実行する。投稿処理部３９は、入力部１１によって、投稿先の動画共有サービスを受け付け、例えば、編集処理部３８が生成したコンテンツデータを、動画共有サービスに対応するサーバ装置３に送信して記憶（登録）させる。なお、投稿処理部３９は、コンテンツデータを、ＮＷ通信部１６を介して、サーバ装置３に送信する。
【００３１】
次に、図面を参照して、本実施形態による演奏支援装置１の動作について説明する。
図２は、本実施形態による演奏支援装置１の動作の一例を示すフローチャートである。
図２に示すように、演奏支援装置１は、まず、トレーニングの操作画面を表示する（ステップＳ１０１）。演奏支援装置１の表示処理部３４は、例えば、図３に示すような表示画面Ｇ１を、トレーニングの操作画面として表示部１２に表示させる。ここで、図３に示すトレーニングの操作画面（表示画面Ｇ１）について説明する。
【００３２】
図３は、本実施形態による演奏支援装置１のトレーニング操作画面の一例を示す図である。この図において、エリアＡ１は、楽曲の選択操作のエリアを示し、楽曲選択処理部３１によって選択された楽曲音データに対応する楽曲名、アーティスト名を表示している。
また、ボタンＢＴ１は、トレーニングの設定情報である“ＡＢリピート”ボタン、“プリカウント”ボタン、“クリックスイッチ”ボタン、及び“ビートシフト”ボタンを示している。
【００３３】
“ＡＢリピート”ボタンは、楽曲音のうちのＡ点からＢ点まで範囲をリピートする機能の設定及び当該機能のオン・オフを設定する。また、“プリカウント”ボタンは、楽曲音を放音する前にクリック音によるプリカウントを挿入する機能のオン・オフを設定する。また、“クリックスイッチ”ボタンは、クリック音のオン・オフを設定する。また、ビートシフト”ボタンは、クリック音の表拍と裏拍とを切り替える設定ボタンである。
【００３４】
また、エリアＡ２は、楽曲音の波形データを表示するエリアであり、当該エリアをタップ、及びスライドさせることで、ロケータを操作可能になっている。
また、ボタンＢＴ２は、楽曲音を頭出しに移動させる“頭出し”ボタンを示し、ボタンＢＴ３は、例えば、２秒の巻き戻しを行う“巻き戻し”ボタンを示している。また、ボタンＢＴ４は、楽曲音の再生、及び停止を行う“再生”ボタンを示している。
また、ボタンＢＴ５は、レコーディング（録音）のためのレコーディング画面に移行させる“Start Recording”ボタンを示している。
【００３５】
また、エリアＡ３は、楽曲音のテンポ調整のエリアであり、テンポ解析部３２により解析したテンポを基準にしてテンポの倍率の変更、テンポの再解析処理への移行、クリック音の音量調整、楽曲音の音量調整などを行うエリアを示している。なお、エリアＡ３には、楽曲音のテンポを示すテンポ情報（ＢＰＭ値）が表示される。
また、エリアＡ４は、編集・投稿画面、及び設定変更画面に移行させるための操作エリアである。
【００３６】
図２の説明に戻り、演奏支援装置１の制御部３０は、入力部１１によって受け付けた入力操作に応じて、各種処理に分岐する（ステップＳ１０２）。制御部３０は、入力部１１を介して、例えば、エリアＡ１により楽曲の選択操作を受け付けた場合に、処理をステップＳ１０３に進める。また、制御部３０は、入力部１１を介して、例えば、エリアＡ３の操作により、テンポの再解析処理を受け付けた場合に、処理をステップＳ１０６に進める。
【００３７】
また、制御部３０は、入力部１１を介して、例えば、ボタンＢＴ１、エリアＡ３及びエリアＡ４の操作により、各種設定変更を受け付けた場合に、処理をステップＳ１０７に進める。また、制御部３０は、入力部１１を介して、例えば、ボタンＢＴ２〜ボタンＢＴ４の操作により、音出力処理を受け付けた場合に、処理をステップＳ１０９に進める。また、制御部３０は、入力部１１を介して、例えば、ボタンＢＴ５の操作により、レコーディング（録音）を受け付けた場合に、処理をステップＳ１１０に進める。また、制御部３０は、入力部１１を介して、例えば、エリアＡ４の操作により、編集処理を受け付けた場合に、処理をステップＳ１１１に進める。
【００３８】
ステップＳ１０３において、制御部３０の楽曲選択処理部３１は、楽曲選択処理を実行する。楽曲選択処理部３１は、例えば、利用者によって入力部１１を介して選択された楽曲音データを、記憶部２０に記憶されている複数の楽曲音データのうちから選択する。
【００３９】
次に、テンポ解析部３２は、楽曲選択処理部３１によって選択された楽曲音データのテンポを解析する（ステップＳ１０４）。そして、クリック生成部３３は、テンポ解析部３２が解析したテンポに基づいて、クリック音（メトロノーム音）を生成する（ステップＳ１０５）。ステップＳ１０５の処理後に、クリック生成部３３は、処理をステップＳ１０１に戻す。
【００４０】
また、ステップＳ１０６において、設定変更処理部３６は、再解析設定変更の処理を実行する。設定変更処理部３６は、表示処理部３４に対して、例えば、図４に示すようなオーディオ解析画面（表示画面Ｇ２）を表示部１２に表示させる。ここで、図４に示すオーディオ解析画面（表示画面Ｇ２）について説明する。
【００４１】
図４は、本実施形態による演奏支援装置１のオーディオ解析画面の一例を示す図である。この図において、エリアＡ２は、上述した図３と同様に、楽曲音の波形データを表示するエリアであり、入力部１１を介して、解析範囲Ｒ１が設定可能になっている。また、エリアＡ５は、解析の倍率（例えば、１／２倍、２倍など）の設定するエリアである。また、ボタンＢＴ６は、解析を実行する解析ボタン（“Analyze”ボタン）を示している。
【００４２】
ステップＳ１０６において、設定変更処理部３６は、例えば、エリアＡ２の操作に応じて、解析範囲Ｒ１の設定変更を行うとともに、エリアＡ５の操作に応じて、解析の倍率の設定変更を行う。また、設定変更処理部３６は、ボタンＢＴ６の操作に応じて、テンポ解析部３２にテンポの再解析を実行させる。すなわち、設定変更処理部３６は、処理をステップＳ１０４に進めて、テンポ解析部３２は、変更された解析範囲の楽曲音データに対して、変更された解析の倍率の設定に応じて、テンポを再解析する。
【００４３】
また、ステップＳ１０７において、設定変更処理部３６は、各種設定変更処理を実行する。例えば、設定変更処理部３６は、ボタンＢＴ１及びエリアＡ３により設定変更を受け付けた場合に、対応する設定変更を実行し、記憶部２０に設定情報を記憶させる。なお、エリアＡ４の操作により、設定変更を行う場合については、図１０を参照して後述する。
【００４４】
次に、設定変更処理部３６は、設定変更によりクリック音の再生成が必要であるか否かを判定する（ステップＳ１０８）。設定変更処理部３６は、例えば、“ビートシフト”ボタンやテンポの倍率の変更（テンポの変更要求）などのようにクリック音の再生成が必要であるか否かを判定する。設定変更処理部３６は、クリック音の再生成が必要である場合（ステップＳ１０８：ＹＥＳ）に、処理をステップＳ１０５に進めて、クリック生成部３３にクリック音を再生成させる。また、設定変更処理部３６は、クリック音の再生成が必要でない場合（ステップＳ１０８：ＮＯ）に、処理をステップＳ１０１に戻す。
【００４５】
また、ステップＳ１０９において、音出力処理部３５は、操作に応じた音出力処理を実行する。音出力処理部３５は、例えば、ボタンＢＴ４がクリックされた操作に応じて、楽曲音データに基づく楽曲音に、クリック生成部３３が生成したクリック音を付加してスピーカ１４から放音させる。また、音出力処理部３５は、例えば、ボタンＢＴ３やエリアＡ３の操作に応じて、テンポが変更された楽曲音及びクリック音や、楽曲音データの所定の範囲を繰り返し再生した楽曲音などをスピーカ１４から放音させる。ステップＳ１０９の処理後に、音出力処理部３５は、処理をステップＳ１０１に戻す。
【００４６】
また、ステップＳ１１０において、レコーディング処理部３７は、レコーディング処理を実行する。レコーディング処理部３７は、表示処理部３４に対して、例えば、図５に示すようなレコーディング処理画面（表示画面Ｇ３）を表示部１２に表示させる。ここで、図５に示すレコーディング処理画面（表示画面Ｇ３）について説明する。
【００４７】
図５は、本実施形態による演奏支援装置１のレコーディング処理画面の一例を示す第１の図である。この図において、エリアＡ６は、レコーディング処理において撮像部１３を使用するか否かのオン・オフを設定するとともに、セルフタイマーの時間設定及びオン・オフを設定するエリアである。また、ボタンＢＴ７は、レコーディングの開始ボタンであり、ボタンＢＴ８は、トレーニングの操作画面（表示画面Ｇ１）に戻るための操作ボタンである。なお、図５に示す例は、撮像部１３を使用しない場合（撮像部１３をオフした場合）の表示例であり、撮像部１３を使用する場合（撮像部１３をオンした場合）には、表示画面の背景に、撮像部１３の撮像画像が表示される。
【００４８】
また、レコーディング処理部３７は、ボタンＢＴ７がクリックされると、表示処理部３４に対して、例えば、図６に示すようなレコーディング処理画面（表示画面Ｇ４）を表示部１２に表示させる。ここで、図６に示す表示画面Ｇ４は、セルフタイマー機能のカウント値（例えば、“３”）が表示された画面であり、セルフタイマーの時間設定に応じてカウントダウンされる。
【００４９】
また、セルフタイマーのカウント値が“０”になると、レコーディング処理部３７は、表示処理部３４に対して、例えば、図７に示すようなレコーディング処理画面（表示画面Ｇ５）を表示部１２に表示させ、電子楽器２からＡｕｄｉｏ通信部を介して取得した演奏音データを記憶部２０に記憶させる。なお、図７に示す例では、撮像部１３を使用しない場合の表示例であり、表示処理部３４は、演奏音データの波形を表示部１２に表示させる。また、撮像部１３を使用する場合には、表示処理部３４は、表示画面の背景に、撮像部１３が撮像した撮像画像を表示させ、レコーディング処理部３７は、撮像部１３が撮像した撮像画像を取得して、記憶部２０に記憶（録画）させる。
このようなレコーディング処理（ステップＳ１１０の処理）の後に、レコーディング処理部３７は、処理をステップＳ１０１に戻す。
【００５０】
また、ステップＳ１１１において、制御部３０は、編集・投稿処理を実行する。制御部３０の編集処理部３８は、表示処理部３４に対して、例えば、図８に示すような編集・投稿処理画面（表示画面Ｇ６）を表示部１２に表示させる。また、編集・投稿処理（表示画面Ｇ６）において、入力部１１の操作により編集処理が選択されると、編集処理部３８は、表示処理部３４に対して、例えば、図９に示すような表示画面Ｇ７を表示部１２に表示させる。ここで、図９に示す編集処理画面（表示画面Ｇ７）について説明する。
【００５１】
図９は、本実施形態による演奏支援装置１の編集処理画面の一例を示す図である。この図において、エリアＡ７は、楽曲音及び演奏音の波形データを表示するエリアであり、当該エリアをタップ、及びスライドさせることで、編集範囲Ｒ２を設定することが可能である。また、エリアＡ８は、楽曲音の音量と、演奏音の音量とを調整するエリアであり、演奏音データと楽曲音データとの音量バランスを変更することが可能である。
【００５２】
ステップＳ１１１において、編集処理部３８は、入力部１１を介した編集処理画面（表示画面Ｇ７）の操作に応じて演奏音データと、楽曲音データとを混合（ミキシング）して、コンテンツデータを生成する。編集処理部３８は、生成したコンテンツデータを記憶部２０に記憶させる。なお、レコーディング処理において、撮像部１３が撮像した撮像画像を録画している場合には、編集処理部３８は、画像を含むコンテンツデータを生成する。
【００５３】
また、入力部１１の操作に応じて、投稿処理が指定された場合には、投稿処理部３９は、動画共有サービスなどを提供するサーバ装置３に、コンテンツデータを投稿する処理を実行する。投稿処理部３９は、入力部１１によって、投稿先の動画共有サービスを受け付け、例えば、編集処理部３８が生成したコンテンツデータを、動画共有サービスに対応するサーバ装置３に送信して記憶（登録）させる。
【００５４】
また、上述したステップＳ１０７において、エリアＡ４の操作により、設定変更処理が指定された場合には、設定変更処理部３６は、例えば、図１０に示すような設定変更処理画面（表示画面Ｇ８）を表示部１２に表示させる。ここで、図１０に示す設定変更処理画面（表示画面Ｇ７）について説明する。
【００５５】
図１０は、本実施形態による設定変更処理画面の一例を示す図である。この図において、エリアＡ９は、各種設定情報を変更するエリアである。設定変更処理部３６は、例えば、エリアＡ９において、撮像部１３の画質を示す“ビデオ画質”、“プリカウントクリック回数”、“最小テンポ倍率”、及び“最大テンポ倍率”の設定情報を受け付け、記憶部２０が記憶する各設定情報を変更する。
【００５６】
次に、利用者が本実施形態による演奏支援装置１を使用した、演奏の練習（トレーニング）から演奏のレコーディング（演奏音及び演奏画像の記録）、演奏のコンテンツデータの作成及び編集、コンテンツデータの投稿までの一連の流れについて説明する。
【００５７】
（１）利用者は、演奏支援装置１を使用して、楽曲音にクリック音を付加した音聞いて、電子楽器２による演奏を練習する。なお、練習の際には、利用者は、演奏支援装置１を使用して、遅いテンポから開始して徐々にオリジナルのテンポに近づけたり、演奏が難しい所をリピートさせたりして、繰り返し演奏したりして、練習する。
【００５８】
（２）次に、利用者は、演奏支援装置１のレコーディング処理を使用して、電子楽器２の演奏音及び演奏画像を試しに録音及び録画する（リハーサル）。利用者は、試しに録音及び録画した内容を確認して、各種機材、及び設定の見直しを実行する。
【００５９】
（３）次に、利用者は、演奏支援装置１のレコーディング処理を使用して、電子楽器２の演奏音及び演奏画像を本番の録音及び録画する。なお、本実施形態による演奏支援装置１では、レコーディング処理の際に、上述した（１）の練習に用いた各種設定情報をそのまま引き継いて使用できるため、練習と同じ環境で本番の録音及び録画を実行することができる。
【００６０】
（４）次に、利用者は、演奏支援装置１の編集処理を使用して、本番の録音及び録画したデータを編集する。利用者は、演奏支援装置１の編集処理を使用して、例えば、不必要な部分を削除したり、演奏音データと楽曲音データの音量バランスを調整したりして、投稿用、又は記念の保存用のコンテンツデータを生成する。
【００６１】
（５）次に、利用者は、演奏支援装置１の投稿処理を使用して、作成したコンテンツデータを、ネットワークＮＷ１を介して、サーバ装置３に投稿する。
このように、本実施形態による演奏支援装置１を使用することで、利用者は、演奏の練習（トレーニング）から演奏のレコーディング（演奏音及び演奏画像の記録）、演奏のコンテンツデータの作成及び編集、コンテンツデータの投稿までの一連のプロセスを簡単に実行可能である。
【００６２】
以上説明したように、本実施形態による演奏支援装置１は、テンポ解析部３２と、クリック生成部３３と、音出力処理部３５（放音処理部）とを備える。テンポ解析部３２は、楽曲音を示す楽曲音データのテンポを解析する。クリック生成部３３は、テンポ解析部３２が解析したテンポに基づいて、所定のリズムを刻むクリック音を生成する。音出力処理部３５は、楽曲音データに基づく楽曲音に、クリック生成部３３が生成したクリック音を付加してスピーカ１４（放音部）から放音させる。
これにより、本実施形態による演奏支援装置１は、クリック音により楽曲音を電子楽器２で演奏し易くなるため、演奏の練習を行う上で利便性を向上させることができる。
【００６３】
また、本実施形態による演奏支援装置１は、設定変更処理部３６（変更処理部）と、表示処理部３４とを備える。設定変更処理部３６は、テンポの変更要求に応じて、音出力処理部３５によって放音させる楽曲音のテンポを変更するとともに、楽曲音のテンポの変更に応じて、クリック生成部３３が生成したクリック音の発生時間間隔を変更する。表示処理部３４は、音出力処理部３５によって放音させる楽曲音のテンポを示すテンポ情報（例えば、ＢＰＭ値）を表示部１２に表示させる。
これにより、本実施形態による演奏支援装置１は、楽曲音のテンポを変更して、電子楽器２による演奏を練習できるため、演奏の練習を行う上でさらに利便性を向上させることができる。すなわち、本実施形態による演奏支援装置１は、演奏の上達レベルに応じて、演奏のテンポを変更して練習することができる。また、本実施形態による演奏支援装置１は、テンポ情報（例えば、ＢＰＭ値）を表示部１２に表示するため、利用者が演奏の上達レベルを正確に認識することができる。
【００６４】
また、本実施形態では、設定変更処理部３６は、クリック音の変更要求に応じて、表拍と裏拍とのいずれかを選択する拍設定情報を変更する。クリック生成部３３は、拍設定情報に基づいて、表拍と裏拍とのいずれかに対応するクリック音を生成する。
これにより、本実施形態による演奏支援装置１は、クリック音を表拍と裏拍とのいずれかを選択して生成することができるため、電子楽器２による演奏を効率良く練習することができ、演奏技術を向上させることができる。
【００６５】
また、本実施形態では、テンポ解析部３２は、楽曲音データのうち、入力部によって指定された解析範囲の楽曲音データに対して、テンポを解析する。
これにより、本実施形態による演奏支援装置１は、例えば、解析に不要な部分を除外してテンポを適切に解析できるため、テンポの解析精度を向上させることができる。
【００６６】
また、本実施形態による演奏支援装置１は、レコーディング処理部３７（録音処理部）と、編集処理部３８（コンテンツ生成部）とを備える。レコーディング処理部３７は、スピーカ１４が放音する楽曲音に合わせて、楽器によって演奏された演奏音を示す演奏音データを取得し、取得した演奏音データを記憶部２０に記憶させる。編集処理部３８は、レコーディング処理部３７が記憶部２０に記憶させた演奏音データと、楽曲音データとに基づいて、コンテンツデータを生成する。
【００６７】
これにより、本実施形態による演奏支援装置１は、演奏の練習から演奏音データの取得、及びコンテンツデータの生成までを一括に行うことができるため、さらに利便性を向上させることができる。なお、本実施形態による演奏支援装置１を使用することで、利用者は、容易に自身の演奏を情報発信することができる。また、本実施形態による演奏支援装置１は、練習に使用した環境をそのまま演奏音データの取得の際にも引き継いで使用できるため、練習と同一の環境で演奏のコンテンツデータを作成することができる。また、本実施形態による演奏支援装置１は、電子楽器２と接続することで使用でき、例えば、Ａｕｄｉｏインターフェース装置などを別途備える必要がない。
【００６８】
また、本実施形態による演奏支援装置１は、編集処理部３８が生成したコンテンツデータを、ネットワークＮＷ１を介して接続可能なサーバ装置３に送信して記憶させる投稿処理部３９を備える。
これにより、本実施形態による演奏支援装置１は、コンテンツデータの投稿までを一括して行うことができるため、さらに利便性を向上させることができる。また、本実施形態による演奏支援装置１は、利用者の演奏に関する情報発信の機会を増やすことができるため、電子楽器２の演奏に関するモチベーションを高めることができる。
【００６９】
また、本実施形態による演奏支援装置１は、音出力処理部３５（放音処理部）と、レコーディング処理部３７（録音処理部）と、編集処理部３８（コンテンツ生成部）とを備える。音出力処理部３５は、設定された設定情報に応じて、楽曲音データに基づく楽曲音をスピーカ１４（放音部）から放音させる。レコーディング処理部３７（録音処理部）は、設定情報に応じて、スピーカ１４（放音部）から放音された楽曲音に合わせて、楽器によって演奏された演奏音を示す演奏音データを取得し、取得した演奏音データを記憶部２０に記憶させる。編集処理部３８は、レコーディング処理部３７が記憶部２０に記憶させた演奏音データと、楽曲音データとに基づいて、コンテンツデータを生成する。
これにより、本実施形態による演奏支援装置１は、練習に使用した設定情報をそのまま演奏音データの取得の際にも引き継いで使用できるため、練習と同一の環境で演奏のコンテンツデータを作成することができ、利便性を向上させることができる。
【００７０】
また、本実施形態による演奏支援装置１は、楽曲音データと、演奏音データとを個別に記憶部２０に記憶し、編集処理部３８は、個別の楽曲音データと演奏音データとに基づいてコンテンツデータを生成する。そのため、本実施形態による演奏支援装置１は、楽曲音データと演奏音データとを混合した音データを記憶する場合に比べて、編集処理における自由度を高めることができる。
【００７１】
なお、本発明は、上記の実施形態に限定されるものではなく、本発明の趣旨を逸脱しない範囲で変更可能である。
例えば、上記の実施形態において、放音部の一例として、演奏支援装置１が備えるスピーカ１４から楽曲音及び演奏音を放音（出力）する例を説明したが、これに限定されるものではない。例えば、放音部は、演奏支援装置１又は電子楽器２に接続されたヘッドホンであってもよいし、電子楽器２に接続されたスピーカ装置であってもよい。
【００７２】
また、上記の実施形態において、Ａｕｄｉｏ通信部１５は、ＵＳＢ  Ａｕｄｉｏ  Ｃｌａｓｓの規格によるインターフェース部である例を説明したが、これに限定されるものではなく、例えば、Bluetooth（登録商標）などの無線通信のインターフェース部であってもよい。また、演奏支援装置１と電子楽器２との間を他のインターフェースにより通信するようにしてもよい。
【００７３】
また、上記の実施形態において、演奏支援装置１は、撮像部１３を備える例を説明したが、これに限定されるものではなく、撮像部１３を外部に備えるようにしてもよい。
また、上記の実施形態において、電子楽器２は、電子ドラムである例を説明したが、これに限定されるものではなく、他の電子楽器であってもよい。
【００７４】
また、上記の実施形態において、演奏支援装置１は、例えば、スマートフォンやＰＣなどである例を説明したが、ＰＤＡ（Personal Digital Assistant）などの情報端末であってもよい。
また、上記の実施形態において、投稿処理部３９は、コンテンツデータを動画共有サービスなどのサーバ装置３に投稿（アップロード）する例を説明したが、投稿先のサーバ装置３は、ＳＮＳ（Social Networking Service）のサーバ装置や利用者が使用可能なクラウドサーバであってもよい。
【００７５】
また、上記の実施形態において、演奏支援装置１は、演奏の練習（トレーニング）から演奏のレコーディング（演奏音及び演奏画像の記録）、演奏のコンテンツデータの作成及び編集、コンテンツデータの投稿までの各機能のうちの一部機能の実行を、接続される電子楽器２に応じて、制限（禁止）するようにしてもよい。演奏支援装置１は、例えば、電子楽器２から識別情報を取得し、特定の識別情報に対応する電子楽器２（例えば、特定の製造メーカの電子楽器）が接続されている場合に、レコーディング以降の機能を実行可能にするようにしてもよい。
【００７６】
なお、上述した演奏支援装置１が備える各構成は、内部に、コンピュータシステムを有している。そして、上述した演奏支援装置１が備える各構成の機能を実現するためのプログラムをコンピュータ読み取り可能な記録媒体に記録して、この記録媒体に記録されたプログラムをコンピュータシステムに読み込ませ、実行することにより上述した演奏支援装置１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００７７】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に演奏支援装置１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００７８】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００７９】
１…演奏支援装置、２…電子楽器、３…サーバ装置、１１…入力部、１２…表示部、１３…撮像部、１４…スピーカ、１５…Ａｕｄｉｏ通信部、１６…ＮＷ通信部、２０…記憶部、３０…制御部、３１…楽曲選択処理部、３２…テンポ解析部、３３…クリック生成部、３４…表示処理部、３５…音出力処理部、３６…設定変更処理部、３７…レコーディング処理部、３８…編集処理部、３９…投稿処理部、ＮＷ１…ネットワーク
【図１】
2018180480.tif 000003
【図２】
2018180480.tif 000004
【図３】
2018180480.tif 000005
【図４】
2018180480.tif 000006
【図５】
2018180480.tif 000007
【図６】
2018180480.tif 000008
【図７】
2018180480.tif 000009
【図８】
2018180480.tif 000010
【図９】
2018180480.tif 000011
【図１０】
2018180480.tif 000012